(57)【要約】【課題】  記録済みの画像に満足がいかない場合に、再生時に黒つぶれ補正を実行可能とし、ユーザが満足できる再生画像を得られるようにする。【解決手段】  撮像した画像データの記録及び再生を行う撮像記録再生装置であって、画像データの記録時に逆光補正を行うカメラ信号処理回路４と、画像データの再生時に黒つぶれ補正として黒伸張制御を行う黒伸張制御部１０と、逆光補正の実行を指示したり、黒つぶれ補正の実行を指示したりする逆光補正／黒伸張実行操作部１４とを備える。【選択図】  図１
2007027901.tif 000002
【特許請求の範囲】
【請求項１】
撮像した画像データの記録及び再生を行う撮像記録再生装置であって、
画像データの記録時に逆光補正を行う逆光補正手段と、
画像データの再生時に黒つぶれ補正を行う黒つぶれ補正手段と、
前記逆光補正手段による逆光補正の実行を指示するための逆光補正実行操作手段と、
前記黒つぶれ補正手段による黒つぶれ補正の実行を指示するための黒つぶれ補正実行操作手段とを備えたことを特徴とする撮像記録再生装置。
【請求項２】
前記逆光補正実行操作手段及び前記黒つぶれ補正実行操作手段を一つの操作手段が兼用することを特徴とする請求項１に記載の撮像記録再生装置。
【請求項３】
前記黒つぶれ補正手段は、再生時に輝度信号の黒伸張を制御する黒伸張制御手段であることを特徴とする請求項１又は２に記載の撮像記録再生装置。
【請求項４】
前記黒伸張制御手段は補正量が可変であり、前記黒伸張制御手段での補正量を変えるための操作手段を備えたことを特徴とする請求項３の撮像記録再生装置。
【請求項５】
撮像した画像データの記録及び再生を行う撮像記録再生装置を制御するためのコンピュータプログラムであって、
画像データの記録時に、ユーザからの指示に応じて逆光補正手段に逆光補正を実行させる処理と、
画像データの再生時に、ユーザからの指示に応じて黒つぶれ補正手段に黒つぶれ補正手段を実行させる処理とをコンピュータに実行させることを特徴とするコンピュータプログラム。
【発明の詳細な説明】
【技術分野】
【０００１】
本発明は、撮像した画像データの記録及び再生を行う撮像記録再生装置及びコンピュータプログラムに関する。
【背景技術】
【０００２】
従来、撮像記録再生装置の一つであるビデオカメラとして、逆光補正手段を備えたものもあるが、逆光補正は撮影時のみの実行である。
【０００３】
また、特許文献１には、暗部を検出してこの暗部を占める面積比率を算出し、この比率に応じて、可変ブラックストレッチ回路の黒伸張量を可変制御するようにしたカラー撮像装置が開示されている。そこでは、逆光時等のコントラストが大きい場合に生じる黒の階調性低下を改善することを目的とするが、カラー撮像装置に関するものであって、この技術も撮影時のみの実行である。
【０００４】
【特許文献１】特開平７−７５１１５号公報
【発明の開示】
【発明が解決しようとする課題】
【０００５】
上述したように従来の逆光補正は撮影時のみに実行され、大事な記録画像に破綻が起きないようにする補正に留まっている。
【０００６】
しかしながら、撮影時に逆光補正を実行した場合でも、被写体となる人物等が黒くつぶれた画像のデータが記録され、結果的にユーザが満足できる再生画像が得られないことがあった。これは、人間の目は非常に大きいダイナミックレンジを持っているのに対して、撮像素子のダイナミックレンジは小さく、明るい部分の飽和を防ぐために低照度部の階調性が損なわれるためである。
【０００７】
本発明は上記のような点に鑑みてなされたものであり、記録済みの画像に満足がいかない場合に、再生時に黒つぶれ補正を実行可能とし、ユーザが満足できる再生画像を得られるようにすることを目的とする。
【課題を解決するための手段】
【０００８】
本発明による撮像記録再生装置は、撮像した画像データの記録及び再生を行う撮像記録再生装置であって、画像データの記録時に逆光補正を行う逆光補正手段と、画像データの再生時に黒つぶれ補正を行う黒つぶれ補正手段と、前記逆光補正手段による逆光補正の実行を指示するための逆光補正実行操作手段と、前記黒つぶれ補正手段による黒つぶれ補正の実行を指示するための黒つぶれ補正実行操作手段とを備えた点に特徴を有する。
本発明によるコンピュータプログラムは、撮像した画像データの記録及び再生を行う撮像記録再生装置を制御するためのコンピュータプログラムであって、画像データの記録時に、ユーザからの指示に応じて逆光補正手段に逆光補正を実行させる処理と、画像データの再生時に、ユーザからの指示に応じて黒つぶれ補正手段に黒つぶれ補正手段を実行させる処理とをコンピュータに実行させる点に特徴を有する。
【発明の効果】
【０００９】
本発明によれば、記録済みの画像に満足がいかない場合に、記録済み画像に影響を与えることなく、再生時に黒つぶれ補正を実行することができるので、ユーザが満足できる再生画像を得ることができる。
【発明を実施するための最良の形態】
【００１０】
以下、添付図面を参照して、本発明の好適な実施形態について説明する。
（第１の実施形態）
図１は、第１の実施形態の撮像記録再生装置の概略構成を示す図である。同図において、１はレンズ、２は撮像素子を含む撮像部、３はＡ／Ｄコンバータ、４はカメラ信号処理回路、５は画像データの圧縮処理を実行する画像圧縮処理回路、６は符号化後の画像データの記録処理を実行する記録処理回路、７は記録媒体である。
【００１１】
８は記録画像データの再生処理を実行する再生処理回路、９は画像圧縮回路５の圧縮方式に対応する伸張方式で画像データを復元する画像伸張処理回路、１０は黒つぶれ補正として黒伸張制御を実行する黒伸張制御回路、１１はＤ／Ａコンバータ、１２は外部モニタ等に接続する画像出力端子である。
【００１２】
１３は装置全体の動作制御を司るシステムコントローラ、１４は逆光補正／黒伸張実行操作部である。
【００１３】
図１の構成において、レンズ１にて集光された撮像が撮像部２にて光電変換されて得られた画像信号は、Ａ／Ｄコンバータ３によってデジタル化され、カメラ信号処理回路４に供給される。カメラ信号処理回路４では、Ａ／Ｄコンバータ３からの画像データに応じてレンズ１のアイリス制御、撮像部２のシャッタースピード、及びゲインを制御し、また輝度や色の調整処理等を行う。
【００１４】
逆光補正時には、逆光補正／黒伸張実行操作部１４の操作によりシステムコントロール１３を介してカメラ信号処理回路４へ指示があり、カメラ信号処理回路４は、通常時は強烈な光等によって黒くつぶれてしまいがちな被写体をより明るく撮ることができるようにレンズ１のアイリス制御、撮像部２のシャッタースピード、及びゲインを制御する。
【００１５】
カメラ信号処理回路４での処理後の画像データは、画像圧縮回路５に供給される。画像圧縮回路５は、カメラ信号処理回路４からの画像データを所定の圧縮方式のアルゴリズムに基づいて符号化する。
【００１６】
画像圧縮回路４にて圧縮された画像データは、記録処理回路６に供給される。記録処理回路６は、画像圧縮回路５からの画像データを記録に適したフォーマットへ変換した後、それを不図示の記録用ヘッドを用いて記録媒体７に記録する。
【００１７】
記録媒体７に記録された画像データを再生する場合、記録媒体７に記録された画像データが不図示の再生用ヘッドによって読み取られる。
【００１８】
再生ヘッドによって読み取られた画像データは、再生処理回路８に供給される。再生処理回路８は、再生ヘッドよって読み取られた画像データに対して、記録処理回路６でのフォーマット変換前のデータに戻す変換処理を行う。
【００１９】
再生処理回路８での処理後の画像データは、画像伸張処理回路９に供給される。画像伸張処理回路９は、再生処理回路８からの画像データを画像圧縮回路５での圧縮方式に対応した方式で伸張する。
【００２０】
画像伸張回路９にて伸張された画像データは、黒伸張制御回路１０にて、通常時はスルーされるが、逆光補正／黒伸張実行操作部１４からのシステムコントローラ１３を介しての指示があった時は黒伸張制御が施され、Ｄ／Ａコンバータ１１に出力される。そして、Ｄ／Ａコンバータ１１でアナログ信号に変換され、画像出力端子１２を介して外部モニタ等に供給される。
【００２１】
以上述べた構成において、例えば晴天時のスキー場で逆光となるような場合には、非常に強烈な光で照射され、反射した面積部分が大きく占める画像となってしまうため、逆光補正を行ったとしても、図２（ａ）に示すように被写体が黒くつぶれてしまった画像が記録されてしまう。
【００２２】
この記録済み画像にユーザが満足できない場合には、逆光補正／黒伸張実行操作部１４の操作によって黒伸張制御を実行させる。黒伸張制御回路１０では、例えば図３に示すように入力信号に対して黒レベルを大きくする補正を行い、図２（ａ）に示すように被写体が黒くつぶれてしまった画像を、図２（ｂ）に示すように低照度の階調性が改善された画像に補正する。
【００２３】
以上述べたように、再生時に黒つぶれ補正を実行可能としたので、記録済みの黒つぶれ画像に満足がいかない場合に、記録画像に影響を与えることなく、低照度部分における被写体の階調を得ることができ、ユーザが満足できる再生画像を得ることができる。
【００２４】
また、逆光補正／黒伸張実行操作部１４という一つの操作手段を備え、記録時には逆光補正、再生時には黒つぶれ補正というユーザにとって被写体が黒つぶれするのを改善する同様な効果の得られる手段が同一の操作手段で実行可能であるようにしたので、ユーザが直感的にわかりやすく、操作しやすいという利点がある。
【００２５】
（第２の実施形態）
図４は、第２の実施形態の撮像記録再生装置の概略構成を示す図である。本実施形態の撮像記録再生装置の基本的な構成は、図１に示した第１の実施形態の撮像記録再生装置と同様であり、以下では相違点を中心に説明するとともに、同様の構成要素には同一の符号を付し、その詳細な説明は省略する。
【００２６】
同図に示すように、第２の実施形態では、黒伸張制御回路１０での補正量を変える黒伸張補正量操作部１５を更に備える。
【００２７】
以上述べた構成において、例えば晴天時のスキー場で逆光となるような場合には、非常に強烈な光で照射され、反射した面積部分が大きく占める画像となってしまうため、逆光補正を行ったとしても、図２（ａ）に示すように被写体が黒くつぶれてしまった画像が記録されてしまう。
【００２８】
この記録済み画像にユーザが満足できない場合には、逆光補正／黒伸張実行操作部１４の操作によって黒伸張制御を実行させる。
【００２９】
ところで、黒伸張補正量は、記録画像や視聴する外部モニタのガンマ特性によって異なる。そこで、黒伸張補正量操作部１５の操作により、黒伸張制御部１０での補正量として、例えば、図５に示すように入力信号に対して黒レベルの補正量を変える（図中矢印を参照）。その補正量に従って、黒伸張制御部１０が入力信号に対して黒レベルを大きくする補正を行い、図２（ａ）に示すように被写体が黒くつぶれてしまった画像を、図２（ｂ）に示すように低照度の階調性が改善された画像に補正する。
【００３０】
或いは、図６に示すように予め複数段階の補正量を用意しておき、黒伸張補正量操作部１５の操作により所望のものをユーザに選択させるようにしてもよい。
【００３１】
また、選択された補正量をメモリに記憶しておき、次回のデフォルトとすれば、ユーザにとっての使い勝手が向上する。
【００３２】
以上述べたように、第１の実施形態で得られる効果に加えて、記録画像や外部モニタのガンマ特性に最適な黒つぶれ補正が可能となる。
【００３３】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００３４】
この場合、記憶媒体から読み出されたプログラムコード自体が上述した実施形態の機能を実現することになり、プログラムコード自体及びそのプログラムコードを記憶した記憶媒体は本発明を構成することになる。
【００３５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３６】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００３７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００３８】
【図１】第１の実施形態の撮像記録再生装置の概略構成を示す図である。
【図２】（ａ）が被写体が黒くつぶれてしまった画像を示す図、（ｂ）が黒つぶれ補正後の画像を示す図である。
【図３】第１の実施形態における黒つぶれ補正を説明するための特性図である。
【図４】第２の実施形態の撮像記録再生装置の概略構成を示す図である。
【図５】第２の実施形態における黒つぶれ補正を説明するための特性図である。
【図６】第２の実施形態における黒つぶれ補正を説明するための特性図である。
【符号の説明】
【００３９】
１    レンズ
２    撮像部
３    Ａ／Ｄコンバータ
４    カメラ信号処理回路
５    画像圧縮処理回路
６    記録処理回路
７    記録媒体
８    再生処理回路
９    画像伸張処理回路
１０  黒伸張制御回路
１１  Ｄ／Ａコンバータ
１２  画像出力端子
１３  システムコントローラ
１４  逆光補正／黒伸張実行操作部
１５  黒伸張補正量操作部
【図１】
2007027901.tif 000003
【図２】
2007027901.tif 000004
【図３】
2007027901.tif 000005
【図４】
2007027901.tif 000006
【図５】
2007027901.tif 000007
【図６】
2007027901.tif 000008